(57)【要約】【課題】足場板用固定具において、足場板の下側から全ての部材の取付作業を完結可能とすること。【解決手段】足場板Ｘを狭持する上部材Ａ、下部材Ｂ、および両者を締結するボルトＣで構成し、上部材Ａを構成する押さえ部１０を、隣りあう足場板Ｘの間の隙間Ｘ１以下の縦幅長を有し、かつ前記隙間Ｘ１以上の横幅長を有するものとし、足場板Ｘの下方から、前記隙間Ｘ１に対して、押さえ部１０を差し入れて、前記押さえ部１０を回転させて、隣りあう足場板Ｘを押さえ部１０が跨ぐように配置してから下部材Ｂの配置、および上部材Ａとの締結作業を行う。【選択図】図１
2020139292.tif 000002
【特許請求の範囲】
【請求項１】
足場板用固定具を用いて、仮設足場の腕木に並べた複数の足場板を位置決めする、足場板の固定方法であって、
前記足場板用固定具は、
足場板を上側から押さえる、上部材と、
腕木および足場板を下側から押さえる、下部材と、
上部材と下部材とを連結する、ボルトと、を少なくとも有し、
前記上部材は、
隣りあう足場板間の隙間以下の縦幅長を有し、かつ前記隙間以上の横幅長を有する、押さえ部と、
前記押さえ部から下方に伸びる、延伸部と、
前記延伸部の下方に固定した、ナットと、を少なくとも具備し、
前記下部材は、
上下に貫通して前記ボルトを下側から受け入れる、貫通孔と、を少なくとも有し、
（ａ）前記足場板の下方から、隣りあう足場板間の隙間に対して、前記上部材の押さえ部を差し入れた後、前記押さえ部を回転させて、隣りあう足場板を押さえ部が跨ぐように配置し、
（ｂ）前記足場板の下方から、前記下部材を配置し、
（ｃ）前記下部材の前記貫通孔へ下側から挿入したボルトを、前記上部材の前記ナットに螺合して、上部材および下部材でもって足場板を狭持する、
ことを特徴とする、
足場板の固定方法。
【請求項２】
前記下部材が、
前記足場板の幅方向に間隔を空けた状態で、足場板の長手方向へと延伸する、一対の側部と、
少なくとも前記一対の側部間の上方を繋ぐ、中間部と、
少なくとも前記一対の側部間の下方を繋ぎ、前記貫通孔を設けてある、底部と、からなり、
前記側部の上縁に、足場板と接触する足場板接触部と、腕木と接触する腕木接触部を設けてあることを特徴とする、
請求項１に記載の足場板の固定方法。
【請求項３】
前記足場板接触部が、対向する足場板の側縁を狭持可能な鉤爪形状を呈していることを特徴とする、
請求項２に記載の足場板の固定方法。
【請求項４】
縦断面視した前記押さえ部の上面が略円弧状であることを特徴とする、
請求項１乃至３のうち何れか１項に記載の足場板の固定方法。
【請求項５】
仮設足場の腕木に並べた複数の足場板を位置決めするための、足場板用固定具であって、
足場板を上側から押さえる、上部材と、
腕木および足場板を下側から押さえる、下部材と、
上部材と下部材とを連結する、ボルトと、を少なくとも有し、
前記上部材は、
隣りあう足場板間の隙間以下の縦幅長を有し、かつ前記隙間以上の横幅長を有する、押さえ部と、
前記押さえ部から下方に伸びる、延伸部と、
前記延伸部の下方に固定した、ナットと、を少なくとも具備し、
前記下部材は、
上下に貫通して、前記ボルトを下側から受け入れる貫通孔を少なくとも有し、
前記貫通孔に挿入した前記ボルトを、前記ナットに螺合することによって、上部材と下部材とで足場板を狭持することを特徴とする、
足場板用固定具。
【発明の詳細な説明】
【技術分野】
【０００１】
本発明は、仮設足場を構成する足場板を位置決めするための、足場板用固定具および足場板の固定方法に関する。
【背景技術】
【０００２】
腕木に複数の足場板を並べて配置した単管足場において、腕木に対し足場板の位置を固定するには、番線を用いて両者を結合する方法が採用されている。しかし、番線の巻き付け作業は作業員による怪我のおそれや、足場撤去時に番線の切断作業が必要となるなどの問題が生じていた。
【０００３】
これらの問題を回避する手段として、以下の特許文献１に記載の技術が開示されている。
特許文献１（請求項４，図１２）には、単管足場の腕木に並べて配置した複数の足場板の端部を固定する足場板の固定装置において、足場板の端部上面に当接した押え板と、押え板の下部に垂設したナット固定板と、ナット固定板に固定したナットと、腕木の下部を支える支持板と、支持板から水平方向に延びるボルトガイド板と、ボルトガイド板を貫通してナットに螺合したボルトと、ボルトガイド板の端部に起立した足場板支持片とからなり、ボルトを回動して支持板を引き上げながら支持板と押え板と足場支持片とで腕木と足場板とを挟持することで、番線結束によらずに足場板の位置の固定および固定解除を実現している。
【先行技術文献】
【特許文献】
【０００４】
【特許文献１】特開２０１７−１１５３０４号公報
【発明の概要】
【発明が解決しようとする課題】
【０００５】
しかし、上記特許文献１に記載の装置では、以下に記載する問題のうち少なくとも何れか１つの問題を有する。
（１）押え板、ナット固定板およびナットを設けた部材（便宜上「上部材」と称する。）については、足場板の上から取り付ける作業を要し、支持板、ボルトガイド板および足場板支持片を設けた部材（便宜上「下部材」と称する。）ならびにボルトについては、足場板の下から取り付ける作業を想定しているため、作業員一人での同時作業が困難である。
（２）上部材を足場板間の隙間に差し入れる際に、当該隙間をナットの幅長以上まで開いておく必要があるため、上部材の取付後に、足場板の隙間を埋めるべく足場板の移動作業を要する場合がある。
【０００６】
よって、本発明は、足場板の下側から全ての部材の取付作業を完結できる手段の提供を目的の一つとするものである。
【課題を解決するための手段】
【０００７】
上記課題を解決すべくなされた本願の第１発明は、足場板用固定具を用いて、仮設足場の腕木に並べた複数の足場板を位置決めする、足場板の固定方法であって、前記足場板用固定具は、足場板を上側から押さえる、上部材と、腕木および足場板を下側から押さえる、下部材と、上部材と下部材とを連結する、ボルトと、を少なくとも有し、前記上部材は、隣りあう足場板間の隙間以下の縦幅長を有し、かつ前記隙間以上の横幅長を有する、押さえ部と、前記押さえ部から下方に伸びる、延伸部と、前記延伸部の下方に固定した、ナットと、を少なくとも具備し、前記下部材は、上下に貫通して前記ボルトを下側から受け入れる、貫通孔と、を少なくとも有し、（ａ）前記足場板の下方から、隣りあう足場板間の隙間に対して、前記上部材の押さえ部を差し入れた後、前記押さえ部を回転させて、隣りあう足場板を押さえ部が跨ぐように配置し、（ｂ）前記足場板の下方から、前記下部材を配置し、（ｃ）前記下部材の前記貫通孔へ下側から挿入したボルトを、前記上部材の前記ナットに螺合して、上部材および下部材でもって足場板を狭持する、ことを特徴とするものである。
また、本願の第２発明は、前記第１発明において、前記下部材が、前記足場板の幅方向に間隔を空けた状態で、足場板の長手方向へと延伸する、一対の側部と、少なくとも前記一対の側部間の上方を繋ぐ、中間部と、少なくとも前記一対の側部間の下方を繋ぎ、前記貫通孔を設けてある、底部と、からなり、前記側部の上縁に、足場板と接触する足場板接触部と、腕木と接触する腕木接触部を設けてあることを特徴とするものである。
また、本願の第３発明は、前記第２発明において、前記足場板接触部が、対向する足場板の側縁を狭持可能な鉤爪形状を呈していることを特徴とするものである。
また、本願の第４発明は、前記第１発明乃至第３発明のうち何れか１つの発明において、縦断面視した前記押さえ部の上面が略円弧状であることを特徴とするものである。
また、本願の第５発明は、仮設足場の腕木に並べた複数の足場板を位置決めするための、足場板用固定具であって、足場板を上側から押さえる、上部材と、腕木および足場板を下側から押さえる、下部材と、上部材と下部材とを連結する、ボルトと、を少なくとも有し、前記上部材は、隣りあう足場板間の隙間以下の縦幅長を有し、かつ前記隙間以上の横幅長を有する、押さえ部と、前記押さえ部から下方に伸びる、延伸部と、前記延伸部の下方に固定した、ナットと、を少なくとも具備し、前記下部材は、上下に貫通して、前記ボルトを下側から受け入れる貫通孔を少なくとも有し、前記貫通孔に挿入した前記ボルトを、前記ナットに螺合することによって、上部材と下部材とで足場板を狭持することを特徴とするものである。
【発明の効果】
【０００８】
本発明によれば、以下に記載する効果を奏する。
（１）足場板を上側から押さえるための上部材を含めた全ての部材の取付作業を、足場板の下側から完結できる。
（２）縦断面視した押さえ部の上面を略円弧状にすることで、足場板の上を歩く作業員の躓きを抑制できる。
（３）足場板接触部を対向する足場板の側縁を狭持可能な鉤爪形状に構成することで、足場板用固定具の設置後の足場板の位置決め効果をより発揮することができる。
【図面の簡単な説明】
【０００９】
【図１】実施例１に係る足場板用固定具の設置状態を示す概略斜視図。
【図２】実施例１に係る足場板用固定具の分解状態を示す概略斜視図。
【図３】実施例１に係る足場板用固定具の設置手順（１）を示す概略斜視図。
【図４】実施例１に係る足場板用固定具の設置手順（２）を示す概略側面図。
【図５】実施例２に係る足場板用固定具の概略斜視図。
【図６】実施例３に係る足場板用固定具の概略斜視図および概略背面図。
【発明を実施するための形態】
【００１０】
以下、図面を参照しながら本発明の実施例について説明する。
【実施例１】
【００１１】
＜１＞全体構成（図１，２）
本実施例に係る足場板用固定具は、主として、仮設足場を構成する腕木Ｙに対し、該腕木Ｙに複数配列した足場板Ｘを位置決めするために用いる装置である。
図１に示すように、足場板用固定具は、足場板Ｘを上側から押さえる上部材Ａと、腕木Ｙおよび足場板Ｘを下側から押さえる下部材Ｂと、上部材Ａと下部材Ｂとを連結するボルトＣと、を少なくとも有する。
本実施例では、上部材Ａを、足場板Ｘの上面と接触する押さえ部１０と、前記押さえ部１０から下方に伸びて、隣りあう足場板Ｘの隙間Ｘ１に侵入する延伸部２０と、前記延伸部２０の下方に固定され、足場板Ｘの下側に位置するナット３０と、を少なくとも具備して構成している。
また、本実施例では、下部材Ｂを、前記足場板Ｘの下側に位置する一対の側部４０と、少なくとも前記一対の側部４０間の上方を繋ぐ中間部５０と、少なくとも前記一対の側部４０間の下方を繋ぎ、上下に貫通する貫通孔６１を備えた底部６０と、を少なくとも具備して構成している。
以下、各構成要素の詳細について説明する。
【００１２】
＜２＞押さえ部（図１，２）
押さえ部１０は、足場板Ｘの上面と接し、後述する下部材Ｂとの上下方向での狭持によって足場板Ｘを腕木Ｙに対して固定するための装置である。
押さえ部１０は、略水平方向を長手方向とした、鋼棒や鋼板などの長尺状の部材を用いることができる。
【００１３】
＜２．１＞縦幅長（図２）
押さえ部１０の縦幅長Ｈは、隣りあう足場板Ｘ間の隙間Ｔ以下とする。
この隙間Ｔは、足場板の設置に係る安全基準を満たす範囲で許容される幅長を呈する。
これは、押さえ部１０を足場板Ｘの下側から隙間に差し入れて使用することも可能とするためである。
【００１４】
＜２．２＞横幅長（図２）
押さえ部１０の横幅長Ｌは、隣りあう足場板Ｘ間の隙間Ｔ以上とすることを前提とする。
これは、隣りあう足場板を一つの押さえ部１０によって固定するためである。
よって、横幅長Ｌの最大長は、足場板Ｘの固定が達成される範囲で任意に設定することができる。
【００１５】
＜２．３＞断面形状（図２）
本発明において押さえ部１０の縦断面形状は特段限定しないが、例えば押さえ部１０による足場板Ｘの固定を行うために求められる剛性を確保するために、押さえ部１０を所定以上の厚さとする場合には、縦断面形状における上面部分を円弧状に形成しておいてもよい。
当該形状とすることによって、足場板部分を作業員が通行する際の躓きを防止することができる。
また、縦断面形状における下面部分は平面形状に形成してもよい。
当該形状とすることによって、足場板Ｘとの接触面積を確保することができる。
上記の上面形状および下面形状を実現するために、鋼棒を切断して押さえ部１０とする方法が考えられる。
【００１６】
＜３＞延伸部（図２）
延伸部２０は、足場板Ｘの上側に位置させる押さえ部１０と、足場板Ｘの下側に位置させるナット３０とを連絡するための部材である。
延伸部２０は、押さえ部１０の長手方向の中間付近から、該長手方向と直交する方向である下方へと伸びる長尺部材を用いることができる。
延伸部２０の上側部４０分の最大幅は、前記した押さえ部１０の縦幅長と同様、隣りあう足場板Ｘ間の隙間Ｔ以下とする。これは、足場板用固定具の設置時において当該上側部４０分が足場板Ｘの隙間Ｘ１に介在した状態となるためである。
【００１７】
＜４＞ナット（図２）
ナット３０は、足場板Ｘの下側で、後述するボルトＣの螺合を受け入れる部材である。
ナット３０は、ナット３０が有するネジ孔の軸方向が、延伸部２０の長手方向と略並行となるように、延伸部２０の下端側側面に溶接などによって固定する。
【００１８】
＜５＞一対の側部（図２）
一対の側部４０は、下部材Ｂの側面部分を構成する部材である。
一対の側部４０は、前記足場板Ｘの幅方向に間隔を空けた状態で、足場板Ｘの長手方向へと延伸してなる平板状部材で形成する。
一対の側部４０に囲まれた空間は、上部材Ａのナット３０を受け入れるべく、その上方を開口してある。
本実施例では、各側部４０の上縁に、足場板Ｘの下面と接触する足場板接触部４１と、腕木Ｙと接触する腕木接触部４２と、を設けている。
【００１９】
＜５．１＞足場板接触部（図２）
足場板接触部４１は、上部材Ａと下部材Ｂとで足場板Ｘを狭持する際に、足場板Ｘの下面と接触するための部位である。
各側部４０の上縁において足場板接触部４１を設ける位置は、後述する腕木接触部４２と干渉しない箇所であれば良いが、好ましくは、平面視して、上部材Ａに設けたナット３０と、後述するボルトＣとの結合位置に近い位置とすることが好ましい。
【００２０】
＜５．２＞腕木接触部（図２）
腕木接触部４２は、上部材Ａと下部材Ｂとで足場板Ｘを狭持する際に、腕木Ｙの下面と接触するための部位である。
本実施例では、腕木接触部４２は、単管で構成する腕木Ｙの径と同径以上に形成した円弧面によって腕木Ｙの周面と接触するよう構成している。
各側部４０の上縁において腕木接触部４２を設ける位置は、平面視して、上部材Ａに設けたナット３０と、後述するボルトＣとの結合位置と重ならない位置とする。
【００２１】
＜６＞中間部（図２）
中間部５０は、前記一対の側部４０間の一側面のうち少なくとも上方部分を繋ぐ部位である。
本実施例では、中間部５０を一対の側部４０の延伸方向の一端側を繋ぎつつ、その上面を、各側部４０に設けた足場板接触部４１の上面と同一高さとすることで、足場板接触部４１とともに、足場板Ｘの下面を足場板Ｘの幅方向に連続して接触支持するよう構成している。
【００２２】
＜７＞底部（図２）
底部６０は、前記一対の側部４０間の下方部分を繋ぐ部位である。
本実施例では、底部６０を、前記一対の側部４０の下縁同士を繋ぐ平板部材で構成しており、一対の側部４０と底部６０とで略凹形状を呈している。
底部６０には、上下に貫通する貫通孔６１を形成する。
【００２３】
＜７．１＞貫通孔（図２）
貫通孔６１は、下側からボルトＣを挿入するための部位である。
貫通孔６１は、ボルトＣ径よりも大きな内径を有する挿通タイプや、ボルトＣを螺合するように孔壁にネジ溝を設けた螺合タイプの何れも含まれる
従って、前記した「挿入」の文言は、挿通および螺合の何れをも含む。
貫通孔６１の位置は、当該ボルトＣでもって上部材Ａと下部材Ｂとを連結する際に、貫通孔６１に下側から挿入したボルトＣが、ナット３０のネジ孔に螺合可能な位置に設ければ良い。
【００２４】
＜８＞ボルト（図２）
ボルトＣは、上部材Ａと下部材Ｂとを連結するための部材である。
ボルトＣの頭部は、前記した貫通孔６１よりも大きな径とし、ボルトＣの呼び長は、上部材Ａと下部材Ｂとで足場板を狭持するにあたって、上部材Ａに設けたナット３０と螺合可能な長さとする。
【００２５】
＜９＞使用方法（図３，４）
以下、上記した足場板用固定具の使用方法について説明する。
【００２６】
（１）上部材の配置（図３）
始めに、足場板間の所定の位置に、上部材Ａを配置する。
まず、隣りあう足場板Ｘの間の隙間Ｘ１に対し、足場板Ｘの下方から、上部材Ａの押さえ部１０を差し入れる。
この「隣りあう足場板Ｘの間の隙間Ｘ１」とは、足場板の設置に係る安全基準を満たす範囲で許容される幅長を呈する隙間のことを指す。
押さえ部１０の縦幅長は、前記した「隣りあう足場板Ｘの間の隙間Ｘ１」以下であるため、足場板Ｘの下方から押さえ部１０を差し入れることに何ら支障はない。
【００２７】
その後、延伸部２０やナット３０を把持した状態で上部材Ａを略９０°回転させることで、押さえ部１０が隣りあう足場板Ｘを跨ぐように配置する。
この状態では、作業員が上部材Ａから手を離しても足場板Ｘから上部材Ａが外れて落下することなどは無い。
【００２８】
（２）下部材の配置（図４（ａ））
次に、上部材Ａを配置した足場板の下側に、下部材Ｂを配置する。
具体的には、下部材Ｂを構成する一対の側部４０に囲まれた空間に、上部材Ａのナット３０を受け入れる位置であって、当該ナット３０のネジ孔と、下部材Ｂの底部６０に設けた貫通孔６１とが平面して重なりあうように、下部材Ｂの位置を合わせながら配置する。
この状態では、作業員は下部材Ｂを持った状態である。
なお、貫通孔６１が螺合タイプである場合には、予め貫通孔６１にボルトＣの先端を螺合しておいた状態としても良い。
【００２９】
（３）ボルトの螺合（図４（ｂ））
下部材Ｂを所定の位置に配置した状態で、ボルトＣを、下部材Ｂの貫通孔６１を経由して上部材Ａのナット３０に螺合し、締結作業を行う。
この時、作業員は片方の手で下部材Ｂを持った状態で、もう片方の手でボルトＣの螺合を進める。
ボルトＣがナット３０に螺合し始めたあとは、作業員は下部材Ｂから手を離すことができる。
ボルトＣおよびナット３０の締結作業が完了すると、隣りあう足場板Ｘは、上部材Ａと下部材Ｂによって狭持された状態となり、確実に位置決めされる。
また、足場板Ｘを載せる腕木Ｙは、足場板Ｘと下部材Ｂによって狭持された状態となる。
【００３０】
（４）まとめ
このように、本手順によれば、足場板Ｘを上側から押さえるための上部材Ａを含めた全ての部材の取付作業を、足場板Ｘの下側から完結できるため、足場板Ｘの上方に作業員を確保する必要がなく、作業効率の向上に寄与する。
また、足場板Ｘの上面では、上部材Ａを構成する押さえ部１０のみが露出した状態となるところ、縦断面視した押さえ部１０の上面が略円弧状を呈しているため、足場板の上を歩く作業員が押さえ部１０に躓く可能性を抑制でき、押さえ部１０を踏みつけてしまう際の違和感の解消も期待できる。
【実施例２】
【００３１】
本発明に係る足場板用固定具の第２実施例について、図５を参照しながら説明する。
本実施例に係る足場板用固定具は、実施例１との間で上部材Ａは同一構成である一方、下部材Ｂの構成を異にしている。
本実施例に係る下部材Ｂは、実施例１の下部材Ｂで用いている一対の側壁の代わりに、平板状部材を折曲して足場板接触部４１、底部６０、腕木接触部４２を形成している。
本実施例に係る足場板用固定具であっても、実施例１と同様、全ての部材の取付作業を足場板の下側から完結できる。
【実施例３】
【００３２】
本発明に係る足場板用固定具の第３実施例について、図６を参照しながら説明する。
図６（ａ）は、本実施例に係る足場板用固定具の概略斜視図であり、図６（ｂ）は、当該足場板用固定具の概略背面図である。
まず、図６（ａ）に示すように、本実施例では、上部材Ａを構成するナット３０を側部４０間の距離と略等幅を有する略立方体状に形成しており、側部４０間での回動ができない構成となっている。
当該構成とすることで、足場板用固定具の設置後に、上部材ＡおよびボルトＣが下部材Ｂに対して回転することを更に抑制している。
【００３３】
また、下部材Ｂを構成する各側部４０の上部にそれぞれ設けた足場板接触部４１を鉤爪状に形成しており、この二つの鉤爪部分で対向する各足場板Ｘの側縁を左右方向から狭持している。
当該構成とすることで、足場板用固定具の設置後に、対向する足場板Ｘが離隔する方向にずれる動作を規制でき、足場板Ｘの位置決め効果をより発揮することができる。
【符号の説明】
【００３４】
Ａ    上部材
１０  押さえ部
２０  延伸部
３０  ナット
Ｂ    下部材
４０  側部
４１  足場板接触部
４２  腕木接触部
５０  中間部
６０  底部
６１  貫通孔
Ｃ    ボルト
Ｘ    足場板
Ｘ１  隙間
Ｙ    腕木
【図１】
2020139292.tif 000003
【図２】
2020139292.tif 000004
【図３】
2020139292.tif 000005
【図４】
2020139292.tif 000006
【図５】
2020139292.tif 000007
【図６】
2020139292.tif 000008